【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
被写体映像を撮像する撮像手段と、
使用者による所定の指定操作に基づいて前記撮像手段により撮像している動画像を指定操作以降から記録する第１の記録処理手段と、
前記指定操作よりも所定時間以前から前記指定操作までの前記撮像手段により撮像している動画像を記録する第２の記録処理手段と、
前記第１の記録処理手段により記録された動画像と前記第２の記録処理手段により記録された動画像とを１つの動画像ファイルとして作成するファイル作成手段と、
前記ファイル作成手段により作成された動画像ファイルごとに、前記第１の記録処理手段により記憶された動画像に関する画像と、前記第２の記録手段により記録された動画像に関する画像とをずらして重ねて表示する表示制御手段と、
前記第１の記録処理手段により記録された動画像から第１のサムネイル画像を生成する第１の画像生成手段と、
前記第２の記録処理手段により記録された動画像から第２のサムネイル画像を生成する第２の画像生成手段とを有し、
前記表示制御手段は、前記第１の画像生成手段により生成された第１のサムネイル画像と、前記第２の画像生成手段により生成された第２のサムネイル画像とをずらして重ねて表示することを特徴とする撮像記録再生装置。
【請求項２】
前記第１の画像生成手段は、前記第１の記録処理手段により記録された動画像の先頭フレームを静止画像として取り出して第１のサムネイル画像を生成し、
前記第２の画像生成手段は、前記第２の記録処理手段により記録された動画像の先頭フレームを静止画像として取り出して第２のサムネイル画像を生成することを特徴とする請求項１に記載の撮像記録再生装置。
【請求項３】
前記表示制御手段は、前記第１のサムネイル画像と前記第２のサムネイル画像とを左右及び上下の少なくとも何れかにずらして重ねて表示することを特徴とする請求項２に記載の撮像記録再生装置。
【請求項４】
前記表示制御手段は、所定時間ごとに前後のサムネイル画像を切り替えて表示することを特徴とする請求項２又は３に記載の撮像記録再生装置。
【請求項５】
前記表示制御手段により表示された前記第１のサムネイル画像と前記第２のサムネイル画像とのうち使用者により選択されたサムネイル画像を検出する選択検出手段を更に有し、
前記表示制御手段は、前記選択検出手段により選択が検出されたサムネイル画像を前面に表示し、前記選択検出手段により選択が検出されていないサムネイル画像を、前記前面に表示したサムネイル画像の背面に、ずらして重ねて表示することを特徴とする請求項１乃至３の何れか１項に記載の撮像記録再生装置。
【請求項６】
前記表示制御手段により表示された前記第１のサムネイル画像と前記第２のサムネイル画像とのうち使用者により選択されたサムネイル画像を検出する選択検出手段を更に有し、
前記表示制御手段は、前記選択検出手段により選択が検出されていないサムネイル画像を点滅して表示することを特徴とする請求項１乃至３の何れか１項に記載の撮像記録再生装置。
【請求項７】
前記表示制御手段により表示された前記第１のサムネイル画像と前記第２のサムネイル画像とのうち使用者により選択されたサムネイル画像を検出する選択検出手段を更に有し、
前記表示制御手段は、前記選択検出手段により選択が検出されているサムネイル画像の画像枠の形状と、検出されていないサムネイル画像の画像枠の形状とを異なる形状で表示することを特徴とする請求項１乃至３の何れか１項に記載の撮像記録再生装置。
【請求項８】
前記表示制御手段により表示された前記第１のサムネイル画像と前記第２のサムネイル画像とのうち使用者により選択されたサムネイル画像を検出する選択検出手段を更に有し、
前記表示制御手段は、前記選択検出手段により選択が検出されたサムネイル画像と前記選択検出手段により選択が検出されていないサムネイル画像とに対して、それぞれ異なる画像処理を施して表示することを特徴とする請求項１乃至３の何れか１項に記載の撮像記録再生装置。
【請求項９】
前記画像処理とは、白黒表示又は異なる解像度でサムネイル画像を表示することを特徴とする請求項８に記載の撮像記録再生装置。
【請求項１０】
被写体映像を撮像する撮像ステップと、
使用者による所定の指定操作に基づいて前記撮像ステップにより撮像している動画像を指定操作以降から記録する第１の記録処理ステップと、
前記指定操作よりも所定時間以前から前記指定操作までの前記撮像ステップにより撮像している動画像を記録する第２の記録処理ステップと、
前記第１の記録処理ステップにより記録された動画像と前記第２の記録処理ステップにより記録された動画像とを１つの動画像ファイルとして作成するファイル作成ステップと、
前記ファイル作成ステップにより作成された動画像ファイルごとに、前記第１の記録処理ステップにより記憶された動画像に関する画像と、前記第２の記録ステップにより記録された動画像に関する画像とをずらして重ねて表示する表示制御ステップと、
前記第１の記録処理ステップにより記録された動画像から第１のサムネイル画像を生成する第１の画像生成ステップと、
前記第２の記録処理ステップにより記録された動画像から第２のサムネイル画像を生成する第２の画像生成ステップとを有し、
前記表示制御ステップでは、前記第１の画像生成ステップにより生成された第１のサムネイル画像と、前記第２の画像生成ステップにより生成された第２のサムネイル画像とをずらして重ねて表示することを特徴とする撮像記録再生装置の制御方法。
【手続補正２】
【補正対象書類名】明細書
【補正対象項目名】発明の名称
【補正方法】変更
【補正の内容】
【発明の名称】撮像記録再生装置及びその制御方法
【手続補正３】
【補正対象書類名】明細書
【補正対象項目名】０００１
【補正方法】変更
【補正の内容】
【０００１】
本発明は、使用者による指定操作よりも所定時間以前から指定操作までの動画像を記録できる撮像記録再生装置及びその制御方法に関するものである。
【手続補正４】
【補正対象書類名】明細書
【補正対象項目名】０００８
【補正方法】変更
【補正の内容】
【０００８】
本発明の撮像記録再生装置は、被写体映像を撮像する撮像手段と、使用者による所定の指定操作に基づいて前記撮像手段により撮像している動画像を指定操作以降から記録する第１の記録処理手段と、前記指定操作よりも所定時間以前から前記指定操作までの前記撮像手段により撮像している動画像を記録する第２の記録処理手段と、前記第１の記録処理手段により記録された動画像と前記第２の記録処理手段により記録された動画像とを１つの動画像ファイルとして作成するファイル作成手段と、前記ファイル作成手段により作成された動画像ファイルごとに、前記第１の記録処理手段により記憶された動画像に関する画像と、前記第２の記録手段により記録された動画像に関する画像とをずらして重ねて表示する表示制御手段と、前記第１の記録処理手段により記録された動画像から第１のサムネイル画像を生成する第１の画像生成手段と、前記第２の記録処理手段により記録された動画像から第２のサムネイル画像を生成する第２の画像生成手段とを有し、前記表示制御手段は、前記第１の画像生成手段により生成された第１のサムネイル画像と、前記第２の画像生成手段により生成された第２のサムネイル画像とをずらして重ねて表示することを特徴とする。
本発明の撮像記録再生装置の制御方法は、被写体映像を撮像する撮像ステップと、使用者による所定の指定操作に基づいて前記撮像ステップにより撮像している動画像を指定操作以降から記録する第１の記録処理ステップと、前記指定操作よりも所定時間以前から前記指定操作までの前記撮像ステップにより撮像している動画像を記録する第２の記録処理ステップと、前記第１の記録処理ステップにより記録された動画像と前記第２の記録処理ステップにより記録された動画像とを１つの動画像ファイルとして作成するファイル作成ステップと、前記ファイル作成ステップにより作成された動画像ファイルごとに、前記第１の記録処理ステップにより記憶された動画像に関する画像と、前記第２の記録ステップにより記録された動画像に関する画像とをずらして重ねて表示する表示制御ステップと、前記第１の記録処理ステップにより記録された動画像から第１のサムネイル画像を生成する第１の画像生成ステップと、前記第２の記録処理ステップにより記録された動画像から第２のサムネイル画像を生成する第２の画像生成ステップとを有し、前記表示制御ステップでは、前記第１の画像生成ステップにより生成された第１のサムネイル画像と、前記第２の画像生成ステップにより生成された第２のサムネイル画像とをずらして重ねて表示することを特徴とする。